(57)【要約】【課題】自動体外式除細動器が収納された状態で、該除細動器に備えられたステータスインジケータの視認を外部から容易に行うことができる自動体外式除細動器用収納ケースの提供。【解決手段】自動体外式除細動器６を収納する前面が開口した箱型収納部２と、収納された上記除細動器６を外部から視認できる透明窓４を有しており、上記収納部２の前面開口部を開閉自在に覆う扉部３とからなる自動体外式除細動器用収納ケース１であって、ステータスインジケータ７を備えた自動体外式除細動器６を内部に収納し上記扉部３を閉じた状態で、上記透明窓４の上記インジケータ７と正対する位置にフレネルレンズ５を取付けたことを特徴とする自動体外式除細動器用収納ケース１。【選択図】図１
0003132041.tif 000002
【実用新案登録請求の範囲】
【請求項１】
自動体外式除細動器（６）を収納する前面が開口した箱型収納部（２）と、収納された上記除細動器（６）を外部から視認できる透明窓（４）を有しており、上記収納部（２）の前面開口部を開閉自在に覆う扉部（３）とからなる自動体外式除細動器用収納ケース（１）であって、ステータスインジケータ（７）を備えた自動体外式除細動器（６）を内部に収納し上記扉部（３）を閉じた状態で、上記透明窓（４）の上記インジケータ（７）と正対する位置にフレネルレンズ（５）を取付けたことを特徴とする自動体外式除細動器用収納ケース（１）。
【考案の詳細な説明】
【技術分野】
【０００１】
本考案は、自動体外式除細動器用収納ケースに関する。さらに詳しくは、内部に自動体外式除細動器を収納した状態で、該除細動器に備えられたステータスインジケータの視認を、外部から容易に行い得る自動体外式除細動器用収納ケースに関する。
【背景技術】
【０００２】
心室細動によって、突然に心肺停止を起こした患者に対し、電気的刺激（除細動）を与えるための機器として、除細動器が利用されている。従来、この除細動器は、医師、看護師又は救急救命士の資格を有する者にしか、その取扱いが認められておらず、病院等の限られた場所に設置されていた。しかし、心室細動により心肺停止を起こした患者には、一刻も早く除細動を施す必要があり、医師等以外のいわゆる非医療従事者には、操作を自動化した自動体外式除細動器（ＡＥＤ：automated external defibrillator）の使用が認められることとなった。
【０００３】
現在、自動体外式除細動器は、空港のロビー、駅のホーム又は学校等、人が大勢集まる様々な場所に設置され始めている。この自動体外式除細動器は、箱型収納部と、透明窓を有した扉部とからなる収納ケースに入れられた状態で、上記場所の壁面等に設置されており、心肺停止の患者が発生した際、この収納ケースから取り出され、自動体外式除細動器から発せられる音声の指示にしたがって心肺蘇生の措置がなされる。
【０００４】
このように設置された自動体外式除細動器は、いつでも使用できる状態を保つ必要があるため、自動体外式除細動器自身による自動のセルフテストが定期的に行われている。このセルフテストの結果は、自動体外式除細動器の表面に備えられたステータスインジケータに表示される。自動体外式除細動器の管理者は、この上記インジケータの状態を確認して使用可否の判断を行い、修理やバッテリーの定期交換を行うのであるが、自動体外式除細動器を収納ケースからわざわざ取り出して上記インジケータを確認することは煩雑である。このため、管理者は、収納ケースの外部から透明窓を介して上記インジケータの状態を確認している。しかしながら、従来の収納ケースは、必ずしも、この透明窓を介した上記インジケータの視認が容易に行えるものではなく、特に、設置場所が暗室であったり、上記透明窓に光が差し込んだ場合等、上記インジケータの状態判断が困難となる場合があった。
【考案の開示】
【考案が解決しようとする課題】
【０００５】
したがって、本考案は、自動体外式除細動器が収納された状態で、該除細動器に備えられたステータスインジケータの視認を外部から容易に行うことができる自動体外式除細動器用収納ケースを提供することにある。
【課題を解決するための手段】
【０００６】
上記課題は以下の本考案により解決される。即ち、本考案は、自動体外式除細動器（以下単に「除細動器」という場合がある）６を収納する前面が開口した箱型収納部２と、収納された上記除細動器６を外部から視認できる透明窓４を有しており、上記収納部２の前面開口部を開閉自在に覆う扉部３とからなる自動体外式除細動器用収納ケース（以下単に「収納ケース」という場合がある）１であって、ステータスインジケータ７を備えた除細動器６を内部に収納し上記扉部３を閉じた状態で、上記透明窓４の上記インジケータ７と正対する位置にフレネルレンズ５を取付けたことを特徴とする収納ケース１である。
【考案の効果】
【０００７】
本考案によれば、除細動器が収納された状態で、該除細動器に備えられたステータスインジケータの視認を外部から容易に行うことができる収納ケースを提供することができる。
【考案を実施するための最良の形態】
【０００８】
以下に、図面を参照して本考案を詳細に説明する。
図１は、本考案の収納ケースの一実施形態を示す斜視図である。図２は、本考案の収納ケースの部分拡大図である。本考案の収納ケース１は、除細動器６を様々な場所に安全に設置するために用いる収納ケース１であり、その基本的構造は、図１に示すとおり、除細動器６を収納する前面が開口した箱型収納部２と、収納された上記除細動器６を外部から視認できる透明窓４を有しており、上記収納部２の前面開口部を開閉自在に覆う扉部３とからなっている。
【０００９】
本考案を構成する箱型収納部２は、図１に示すとおり、設置する除細動器６を収納するためのものであり、その前面は除細動器６が出し入れできる程度に開口している。上記収納部２は、その材質、大きさ及び形状について、従来使用されている収納ケースと何ら変わりはなく、従来公知のいずれのものも用いることができる。
【００１０】
本考案を構成する扉部３は、図２に示すとおり、その一方の側部に、扉部３を開閉自在に固定する蝶番８が取り付けられており、また、図１に示すとおり、他方の側部には、扉部３が勝手に開くのを防止するストッパー９が取り付けられている。扉部３の前面には、把手を設けることもできる（図示なし）。また、扉部３の中央付近は広範囲にわたって開口されており、ここに、扉部３の背面側から、ガラス又はアクリル樹脂等の合成樹脂からなる透明板材が、ボルト１０等を用いて取付けられ、透明窓４が形成されている（図１参照）。しかし、扉部３の材質、大きさ及び形状についても、後述する箇所以外は、従来使用されている収納ケースと何ら変わりはなく、従来公知のいずれのものも用いることができる。
【００１１】
本考案の収納ケース１の特徴は、図１又は２に示すとおり、ステータスインジケータ７を備えた除細動器６を内部に収納し上記扉部３を閉じた状態で、上記透明窓４の上記インジケータ７と正対する位置にフレネルレンズ５を取付けたことにある。通常、管理者等による除細動器６についての使用可否の判断は、収納ケースの外部から透明窓４を介して上記インジケータ７を視認することにより行われる。本考案の収納ケース１は、この外部からの上記インジケータ７の視認を容易にさせるものであり、より確実に上記除細動器６の使用可否を判別することができるものである。なお、本考案におけるステータスインジケータ７とは、除細動器６の使用可否を事前に確認するための計器であり、除細動器６の表面の見やすい箇所に備えられている。例えば、図２に示すような形態をしており、点灯ランプの色により使用可能か否かが判別される。
【００１２】
上記フレネルレンズ５とは、凸レンズの表面を同心円で分割して、レンズ中心部の厚さをレンズの周辺部とほぼ同一にしたレンズであり、平面でありながら、凸レンズ等の球面レンズと同様の効果を有するものである。本考案の収納ケース１は、上記フレネルレンズ５を上記透明板材の表面に、重ね合わせることにより取付けることができるし、上記フレネルレンズ５を上記透明板材として、取付けることもできる。上記フレネルレンズ５を、透明板材の表面に取付ける場合、透明板材の外側の表面又は内側の表面、どちらに取付けてもよいが、取付け跡が目立たず、外観に優れた内側の表面への取付けが好ましい（図１参照）。また、フレネルレンズ５は、扉部３の開口部の全面にわたって取付けることもできるが、少なくとも、透明窓４の上記インジケータ７と正対する位置に、上記インジケータ７の全体を視認できるような大きさで取付けされていればよい（図２参照）。上記除細動器６は、メーカーや機種により、上記インジケータ７の表示位置が異なるため、上記フレネルレンズ５の取付け位置は、これに併せて調整される。
【００１３】
フレネルレンズ５の取付け方法は、特に制限はなく、例えば、上記透明板材とともに扉部３の開口部周辺でボルト１０を用いて取付けることができる（図１参照）。また、接着剤等を用いて取付けしてもよい。また、フレネルレンズ５の材質についても、特に制限はなく、例えば、ガラス製又はアクリル樹脂、塩化ビニル樹脂若しくはポリカーボネート樹脂等の合成樹脂製のものが挙げられる。さらに、フレネルレンズ５の厚さも、外部から上記インジケータ７の全体を明確に視認できる程度の厚さであれば、特に制限はなく、例えば、０．１〜３．０ｍｍとすることができる。
【００１４】
本考案で使用されるフレネルレンズ５は、通常の凸レンズや凹レンズ等の球面レンズと比べて、その厚みを薄くすることが可能である。このため、フレネルレンズ５の取付けスペースを必要とせず、取付け作業も容易である。また、フレネルレンズ５を取付けた本考案の収納ケース１は、フレネルレンズ５の取付け前と比べて外観が維持される。これに対し、例えば、フレネルレンズでなく凸レンズを収納ケースに使用した場合、凸レンズの性質から、透明窓４から外側に向けて、凸レンズの凸部が突き出た形で取付けする必要がある。このため、凸レンズの取付け跡は目立ち、収納ケースの外観は低下する。また、凸レンズは曲面であるため透明窓４への取付け自体も困難である。
【００１５】
以上の構成をした本考案の収納ケース１は、除細動器６を収納した状態で、公共施設や商業施設等において、壁面又は設置スタンドに固定され設置される。そして、心室細動により突然に心肺停止した患者が発生した際には、当該収納ケース１の扉部３を開いて、箱型収納部２に収納されている除細動器６を取り出し、患者に対して心肺蘇生の措置を行う。この際、扉部３が開くと同時に周囲に緊急事態が発生したことを知らせる警報装置１１を、箱型収納部２及び扉部３に設けてもよい。
【産業上の利用可能性】
【００１６】
本考案によれば、除細動器が収納された状態で、該除細動器に備えられたステータスインジケータの視認を外部から容易に行うことができる収納ケースを提供することができる。したがって、本考案は、除細動器の使用可否の判断を容易に行うことができる収納ケースとして有効に用いることができる。
【図面の簡単な説明】
【００１７】
【図１】本考案の収納ケースの一実施形態を示す斜視図。
【図２】本考案の収納ケースの部分拡大図。
【符号の説明】
【００１８】
１：収納ケース
２：収納部
３：扉部
４：透明窓
５：フレネルレンズ
６：除細動器
７：ステータスインジケータ
８：蝶番
９：ストッパー
１０：ボルト
１１：警報装置
【図１】
0003132041.tif 000003
【図２】
0003132041.tif 000004